(57)【要約】  風量が多く、かつ流速の速い吐出空気を確保し、且つ製品のデザイン面においても外観に優れた空気清浄機が開示される。本発明の一実施例による空気清浄機は、ハウジングと、上記ハウジングの内部に備えられる送風ファンと、上記送風ファンによって流動する上記ハウジングの内部の空気が外部に吐出される経路を構成し、環状の吐出端を備えて上記ハウジングの内部に形成され、上記ハウジングの内部から上記吐出端に向かうほど断面積が狭くなる環状吐出流路と、を含む。【選択図】図１
2019501358.tif 000002
【特許請求の範囲】
【請求項１】
ハウジングと、
前記ハウジングの内部に備えられる送風ファンと、
前記送風ファンによって流動する前記ハウジングの内部の空気が外部に吐出される経路を構成し、環状の吐出端を備えて前記ハウジングの内部に形成され、前記ハウジングの内部から前記吐出端に向かうほど断面積が狭くなる環状吐出流路と、を含む、空気清浄機。
【請求項２】
前記環状吐出流路は、前記吐出端が前記ハウジングの一面に配置されるように形成される、請求項１に記載の空気清浄機。
【請求項３】
前記ハウジングの一面には、円形に開口した吐出開口が形成され、
前記吐出開口の中央に配置され、前記ハウジングの内部に延長されて、前記環状吐出流路を形成するエアガイドを含む、請求項２に記載の空気清浄機。
【請求項４】
前記エアガイドは、前記ハウジングの内部から前記吐出開口側に向かうほど外径が大きくなる形状に構成される、請求項３に記載の空気清浄機。
【請求項５】
前記エアガイドは、前記ハウジングの一面から他面まで延長され、中空のラッパ状に構成される、請求項３に記載の空気清浄機。
【請求項６】
前記ハウジングの他面には、前記エアガイドの中空に対応する開口部が形成され、前記ハウジングには、前記エアガイドを介して一面から他面まで貫通した貫通ホールが形成される、請求項５に記載の空気清浄機。
【請求項７】
前記送風ファンは、前記環状吐出流路に空気を流入させる、請求項１に記載の空気清浄機。
【請求項８】
前記環状吐出流路に配置されるフィルタ部材を含む、請求項３に記載の空気清浄機。
【請求項９】
前記フィルタ部材は、前記エアガイドの外周を囲む形状を有する、請求項８に記載の空気清浄機。
【請求項１０】
前記フィルタ部材は、内側面が前記エアガイドの外側面から離隔するように構成される、請求項９に記載の空気清浄機。
【請求項１１】
前記フィルタ部材は、前記環状吐出流路の周方向に回転可能である、請求項１０に記載の空気清浄機。
【請求項１２】
前記フィルタ部材には、前記送風ファンの吐出側と前記環状吐出流路との間に配置される空気集中区間が発生し、
前記送風ファンの作動時、前記フィルタ部材が周期的に回転して前記空気集中区間が周期的に変更される、請求項１１に記載の空気清浄機。
【請求項１３】
前記フィルタ部材を周方向に回転させる駆動ユニットをさらに含み、
前記駆動ユニットは、前記フィルタ部材の一端に締結される環状の被動フレームと、前記被動フレームを周方向に回転させるフィルタ駆動部材と、を含む、請求項１１に記載の空気清浄機。
【請求項１４】
前記送風ファンの空気吸入側に配置され、前記送風ファンに流入する空気を浄化させるフィルタ部材を含む、請求項１に記載の空気清浄機。
【請求項１５】
前記吐出端に備えられ、吐出空気をガイドするグリル部材をさらに含む、請求項１に記載の空気清浄機。
【請求項１６】
ハウジングと、
前記ハウジングの内部に備えられる送風ファンと、
前記送風ファンによって流動する前記ハウジングの内部の空気が外部に吐出される通路を構成し、環状の吐出端が形成された環状の第１空気吐出口と、
前記送風ファンによって流動する前記ハウジングの内部の空気が外部に吐出される通路を構成する第２空気吐出口と、
前記ハウジングの内部に備えられ、前記送風ファンが吐出する空気を前記第１空気吐出口及び前記第２空気吐出口の少なくとも一つに案内する流路切替部と、を含む、空気調和装置。
【請求項１７】
前記第１空気吐出口は、前記ハウジングの一面に形成され、
前記第２空気吐出口は、前記ハウジングの上端に形成される、請求項１６に記載の空気調和装置。
【請求項１８】
端部が前記第１空気吐出口を構成し、前記第１空気吐出口が前記ハウジングの一面に配置されるように前記ハウジングの内部に形成される環状吐出流路をさらに含み、
前記流路切替部は、前記環状吐出流路の空気流入端及び前記第２空気吐出口を開閉するように構成される、請求項１６に記載の空気調和装置。
【請求項１９】
前記流路切替部は、
前記ハウジングの内部に回転可能に備えられ、回転して前記環状吐出流路の空気流入端と前記第２空気吐出口を選択的に開閉する開閉扉と、
前記開閉扉を回転させるモータ部材と、を含む、請求項１８に記載の空気調和装置。
【請求項２０】
前記開閉扉は、一端に回転軸を備える平らな板状からなり、本体にマグネットを備え、
前記第２空気吐出口及び前記環状吐出流路の空気流入端には、前記マグネットの磁力による吸引力を受ける磁性体が備えられる、請求項１９に記載の空気調和装置。
【請求項２１】
前記第２空気吐出口には、磁性体からなる複数のホールが形成された部材が備えられる、請求項２０に記載の空気調和装置。
【請求項２２】
前記送風ファンは、前記環状吐出流路及び前記第２空気吐出口の下方に配置され、上方に空気を吐出させる、請求項１８に記載の空気調和装置。
【請求項２３】
前記送風ファンは、前記第２空気吐出口の直下方に配置される、請求項２２に記載の空気調和装置。
【請求項２４】
前記環状吐出流路は、前記ハウジングの内部から前記第１空気吐出口側に向かうほど断面積が狭くなる、請求項１８に記載の空気調和装置。
【請求項２５】
前記ハウジングの一面には、円形に開口した吐出開口が形成され、
前記吐出開口の中央に配置され、前記ハウジングの内部に延長されて、前記環状吐出流路を形成するエアガイドを含む、請求項２４に記載の空気調和装置。
【請求項２６】
前記エアガイドは、前記ハウジングの内部から前記吐出開口側に向かうほど外径が大きくなる形状に構成される、請求項２５に記載の空気調和装置。
【請求項２７】
前記エアガイドは、前記ハウジングの一面から他面まで延長され、中空のラッパ状に構成される、請求項２６に記載の空気調和装置。
【請求項２８】
前記ハウジングの他面には、前記エアガイドの中空に対応する開口部が形成され、前記ハウジングには、前記エアガイドを介して一面から他面まで貫通した貫通ホールが形成される、請求項２７に記載の空気調和装置。
【請求項２９】
前記ハウジングの内部に備えられ、空気浄化、除湿及び加湿の少なくとも一つの機能を備える空気処理部を含む、請求項１６に記載の空気調和装置。
【請求項３０】
前記空気処理部は、前記送風ファンの空気吸入側に配置される、請求項２９に記載の空気調和装置。
【請求項３１】
前記第１空気吐出口に備えられ、吐出空気をガイドするグリル部材をさらに含む、請求項１６に記載の空気調和装置。
【請求項３２】
前記グリル部材は、前記第１空気吐出口から分離可能に構成され、
前記流路切替部は、前記グリル部材が前記第１空気吐出口から分離されると、前記第１空気吐出口を遮蔽する、請求項３１に記載の空気調和装置。
【請求項３３】
前記エアガイドの中空を覆うように備えられ、運転状態を表示したり、制御ボタンを備えるディスプレイ部をさらに含む、請求項５または２７に記載の空気清浄機。
【請求項３４】
前記吐出端の開口面積を調節する調節部をさらに含む、請求項１または１６に記載の空気清浄機。
【請求項３５】
前記調節部は、前記吐出端の外径（Ｏｕｔｓｉｄｅ  Ｄｉａｍｅｔｅｒ、外側の直径）を調節するように構成される、請求項３４に記載の空気清浄機。
【請求項３６】
前記調節部は、前記吐出端の外郭に備えられ、前記吐出端の半径方向に移動可能な複数の遮蔽板を含む、請求項３５に記載の空気清浄機。
【請求項３７】
前記調節部は、
前記複数の遮蔽板が前記吐出端の外郭に沿って等間隔に配置され、それぞれの遮蔽板を前記吐出端の半径方向に回転可能に支持する環状の回転フレームと、
前記回転フレームの回転に伴って前記複数の遮蔽板を回転させる環状の固定フレームと、を含む、請求項３６に記載の空気清浄機。
【請求項３８】
前記遮蔽板の一側端部には、前記回転フレームに回転可能に結合される回転軸が備えられ、前記遮蔽板の他側端部には、ガイド突起が備えられ、
前記固定フレームには、前記ガイド突起が挿入されてスライド可能であり、前記固定フレームの半径方向に長く延長されたガイド溝が形成される、請求項３７に記載の空気清浄機。
【請求項３９】
前記調節部は、前記回転フレームを回転させて前記回転フレームの回転角度を調節するフレーム駆動部材をさらに含む、請求項３７に記載の空気清浄機。
【発明の詳細な説明】
【技術分野】
【０００１】
本発明は、空気清浄機に関するものであり、より詳細には、室内の空気を速やかに循環させることができる空気清浄機に関するものである。
【背景技術】
【０００２】
従来技術による空気清浄機は、製品の正面または上端に円形または多角形状に開口した吐出口を介して空気を送風させる構造である。
【０００３】
かかる従来技術による空気清浄機は、吐出口の開口面積が広いため、単位時間当たりの風量は多いが、吐出される空気の流速が遅いため、室内の空気を循環させる速度が遅いという欠点がある。このため、流速を増加させるためには、ファンの回転数を上げる必要があるが、ファンの回転数を上げると、騒音が発生するという欠点がある。
【０００４】
一方、かかる欠点を解消するために、吐出口の面積を小さくする場合には、風量が少なく、狭い面積で空気が吐出されるため、むしろ室内空気の循環速度がより低くなるという欠点がある。
【発明の概要】
【発明が解決しようとする課題】
【０００５】
本発明は、上記のような従来技術の問題点の少なくとも一部を解決するために案出されたものであって、一側面として、風量が多く、かつ流速の速い吐出空気を確保し、且つ製品のデザイン面においても外観に優れた空気清浄機を提供することを目的とする。
【０００６】
また、本発明は、一側面として、フィルタの全体面積をバランス良く使用することができる空気清浄機を提供することを目的とする。
【０００７】
なお、本発明は、一側面として、吐出空気の流速及び吐出形態を調節することができる空気清浄機を提供することを目的とする。
【課題を解決するための手段】
【０００８】
上記目的の少なくとも一部を達成するための一側面として、本発明は、ハウジングと、上記ハウジングの内部に備えられる送風ファンと、上記送風ファンによって流動する上記ハウジングの内部の空気が外部に吐出される経路を構成し、環状の吐出端を備えて上記ハウジングの内部に形成され、上記ハウジングの内部から上記吐出端に向かうほど断面積が狭くなる環状吐出流路と、を含む空気清浄機を提供する。
【０００９】
また、他の一側面として、本発明は、ハウジングと、上記ハウジングの内部に備えられる送風ファンと、上記送風ファンによって流動する上記ハウジングの内部の空気が外部に吐出される通路を構成する環状の第１空気吐出口と、上記送風ファンによって流動する上記ハウジングの内部の空気が外部に吐出される通路を構成する第２空気吐出口と、上記ハウジングの内部に備えられ、上記送風ファンが吐出する空気を上記第１空気吐出口及び上記第２空気吐出口の少なくとも一つに案内する流路切替部と、を含む空気調和装置を提供する。
【発明の効果】
【００１０】
かかる構成を有する本発明の一実施例によると、風量が多く、かつ流速の速い吐出空気を確保することができるという効果を得ることができる。
【００１１】
また、本発明の一実施例によると、円筒状フィルタの全体面積をバランス良く使用することができるため、円筒状フィルタの寿命が向上するという効果を得ることができる。
【００１２】
また、本発明の一実施例によると、空気吐出口の面積を調節することにより、吐出空気の流速及び吐出形態を調節することができるという効果を得ることができる
【図面の簡単な説明】
【００１３】
【図１】本発明の実施例１による空気清浄機の前面斜視図である。
【図２】本発明の実施例１による空気清浄機の後面斜視図である。
【図３】本発明の実施例１による空気清浄機の正面図である。
【図４】本発明の実施例１による空気清浄機の側面図である。
【図５】本発明の実施例１による空気清浄機の後面図である。
【図６】本発明の実施例１による空気清浄機の分解斜視図である。
【図７】本発明の実施例１による空気清浄機の側断面図である。
【図８】本発明の実施例１による空気清浄機に含まれるグリル部材の斜視図である。
【図９】本発明の実施例２による空気清浄機の前面斜視図である。
【図１０】本発明の実施例３による空気清浄機の内部構成を示した正断面図である。
【図１１】本発明の実施例３による空気清浄機に含まれる駆動ユニットの斜視図である。
【図１２】本発明の実施例４による空気清浄機の吐出端が完全に開放された状態の吐出端を示した正面図及び側端面図である。
【図１３】本発明の実施例４による空気清浄機における吐出端の一部が閉鎖された状態の吐出端を示した正面図及び側端面図である。
【図１４】本発明の実施例４による空気清浄機に含まれる調節部がハウジングの内部に設置された状態を示した図である。
【図１５】本発明の実施例４による空気清浄機に含まれる調節部の作動状態を示した斜視図である。
【図１６】本発明の実施例４による空気清浄機に含まれる調節部の分解斜視図である。
【図１７】本発明の実施例４による空気清浄機に含まれる調節部の遮蔽板の作動状態を示した図である。
【図１８】本発明の実施例４による空気清浄機に含まれる調節部の遮蔽板の作動状態を示した図である。
【図１９】本発明の実施例５による空気清浄機の前面斜視図である。
【図２０】本発明の実施例５による空気清浄機に含まれるディスプレイ部を示した側断面図である。
【図２１】本発明の実施例６による空気調和装置の前面斜視図である。
【図２２】本発明の実施例６による空気調和装置の後面斜視図である。
【図２３】本発明の実施例６による空気調和装置の分解斜視図である。
【図２４】本発明の実施例６による空気調和装置の側断面図である。
【図２５】本発明の実施例６による空気調和装置に含まれる流路切替部の作動状態を示す側断面図である。
【図２６】本発明の実施例６による空気調和装置に含まれる流路切替部の作動状態を示す側断面図である。
【図２７】本発明の実施例６による空気調和装置に含まれる流路切替部の作動状態を示す側断面図である。
【図２８】本発明の実施例７による空気調和装置の正面図である。
【図２９】本発明の実施例８による空気調和装置の前面斜視図である。
【図３０】本発明の実施例８による空気調和装置の側断面図である。
【図３１】本発明の実施例９による空気調和装置の第１空気吐出口が完全に開放された状態を示した正面図及び側断面図である。
【図３２】本発明の実施例９による空気調和装置における第１空気吐出口の一部が閉鎖された状態を示した正面図及び側断面図である。
【図３３】本発明の実施例９による空気調和装置に含まれる調節部がハウジングの内部に設置された状態を示した図である。
【図３４】本発明の実施例９による空気調和装置に含まれる調節部の作動状態を示した斜視図である。
【図３５】本発明の実施例９による空気調和装置に含まれる調節部の分解斜視図である。
【図３６】本発明の実施例９による空気調和装置に含まれる調節部に備えられる遮蔽板の作動状態を示した図である。
【図３７】本発明の実施例９による空気調和装置に含まれる調節部に備えられる遮蔽板の作動状態を示した図である。
【図３８】本発明の実施例１０による空気調和装置の前面斜視図である。
【図３９】本発明の実施例１０による空気調和装置の後面斜視図である。
【図４０】本発明の実施例１０による空気調和装置の側面図である。
【図４１】本発明の実施例１０による空気調和装置に含まれる流路切替部の作動状態を示す断面図である。
【図４２】本発明の実施例１０による空気調和装置に含まれる流路切替部の作動状態を示す断面図である。
【図４３】本発明の実施例１０による空気調和装置に含まれる流路切替部の斜視図である。
【発明を実施するための形態】
【００１４】
本明細書で用いる用語は、単に特定の実施例を説明するために用いられるものであって、本発明を限定する意図ではない。このとき、単数の表現は、文脈上明確に異なる意味でない限り複数を含む。
【００１５】
以下、添付した図面を参考して、本発明の好ましい実施例について説明する。
【００１６】
＜実施例１＞
まず、図１〜図８を参照して、本発明の実施例１について説明する。
【００１７】
図１〜図８に示されたように、本発明の一実施例による空気清浄機１１００は、ハウジング１１１０、送風ファン１１３０、環状吐出流路１１４０、フィルタ部材１１５０及びグリル部材１１７０を含むことができる。
【００１８】
上記ハウジング１１１０は、本発明の一実施例による空気清浄機１１００の外観を構成し、送風ファン１１３０及びフィルタ部材１１５０が設置される内部空間を設けることができ、内部に環状吐出流路１１４０が形成されることができる。
【００１９】
一実施例におけるハウジング１１１０は、図６に示されたように、前面カバー１１１２と、後面カバー１１１４と、を含んで構成されることができ、前面カバー１１１２と後面カバー１１１４が組み合わされることにより、送風ファン１１３０及びフィルタ部材１１５０が設置される内部空間を設けることができる。
【００２０】
また、ハウジング１１１０には、外部の空気がハウジング１１１０の内部に吸入される空気吸入部１１１７が備えられることができる。一実施例における空気吸入部１１１７は、後述する送風ファン１１３０が両方向から吸入可能なタイプであることに対応して、ハウジング１１１０の前面と後面に備えられることができるが、これに限定されるものではない。
【００２１】
また、一実施例におけるハウジング１１１０の外面には、室内空気の汚染度を測定できる汚染度センサ１１２０が備えられることもできる。
【００２２】
上記送風ファン１１３０は、ハウジング１１１０の内部に備えられ、作動時に外部の空気がハウジング１１１０の内部に吸入された後、後述する環状吐出流路１１４０を流動して吐出端１１４２を介して再び外部に吐出されるように空気の流動を発生させることができる。
【００２３】
かかる送風ファン１１３０は、後述する環状吐出流路１１４０の上方、下方及び側方の少なくとも一方向から環状吐出流路１１４０に空気を流入させることができる。
【００２４】
図１〜図２０に図示された本発明の実施例１〜５には、送風ファン１１３０の吐出側が環状吐出流路１１４０の下方に配置されて、環状吐出流路１１４０の下端に空気を流入させる構造が開示されているが、これに限定されるものではない。
【００２５】
一方、一実施例における送風ファン１１３０は、高い吸引静圧及び風量性能を発揮できる遠心ファンで構成されることもできる。
【００２６】
この時、送風ファン１１３０は、空気を両方向から吸入可能なタイプで構成されることができるが、これに限定されるものではない。
【００２７】
上記環状吐出流路１１４０は、ハウジング１１１０の内部に形成され、送風ファン１１３０によって流動するハウジング１１１０の内部の空気がハウジング１１１０の外部に吐出される経路を構成する。
【００２８】
かかる環状吐出流路１１４０は、環状の吐出端１１４２、つまり、流路の端部がハウジング１１１０の一面に位置するように形成されることができる。
【００２９】
一実施例における環状吐出流路１１４０は、吐出端１１４２がハウジング１１１０の前面に配置されるように、ハウジング１１１０の内部に水平方向またはハウジング１１００の前方に向かって上方または下方に傾斜するように形成されることができる。これにより、環状吐出流路１１４０は、ハウジング１１１０の内部に全体的に水平に横たわる円筒状に形成されることができる。
【００３０】
ここで、環状吐出流路１１４０の吐出端１１４２は、ハウジング１１１０の前面に露出するように配置されて、ハウジング１１１０の内部の空気が室内に吐出される空気吐出口として機能し、環状吐出流路１１４０の端部形状に沿って環状に形成される。
【００３１】
一方、かかる環状吐出流路１１４０は、図７の断面図に示されたように、ハウジング１１１０の内部から吐出端１１４２に向かうほど断面積が狭くなる形状に形成される。
【００３２】
かかる環状の吐出端１１４２を形成するために、一実施例におけるハウジング１１１０の内部には、エアガイド１１８０が備えられることができる。
【００３３】
上記エアガイド１１８０は、ハウジング１１１０の内部に延長されて、環状吐出流路１１４０を形成することができる。
【００３４】
具体的に、ハウジング１１１０の一面には、円形に開口した吐出開口１１１３が形成されることができ、エアガイド１１８０は、一端が吐出開口１１１３の中央に配置され、他端がハウジング１１１０の内部に延長されて、環状吐出流路１１４０の内径（Ｉｎｓｉｄｅ  Ｄｉａｍｅｔｅｒ、内側の直径）を形成することができる。
【００３５】
この時、エアガイド１１８０の一端縁と上記吐出開口１１１３との間の間隔が環状吐出流路１１４０の吐出端１１４２を構成するようになる。
【００３６】
また、エアガイド１１８０の外側面とハウジング１１１０の内壁との間の空間、またはエアガイド１１８０の外側面と後述するフィルタ部材１１５０との間の空間が環状吐出流路１１４０を構成するようになる。
【００３７】
また、エアガイド１１８０は、環状吐出流路１１４０の断面積が吐出端１１４２に向かうほど狭くなる形状を形成するために、他端から一端に向かうほど外径が大きくなる形状に構成されることができる。
【００３８】
また、一実施例におけるエアガイド１１８０は、ハウジング１１１０の一面から他面まで延長されることができ、中空のラッパ状に構成されることができる。
【００３９】
この時、ハウジング１１１０の他面には、エアガイド１１８０の他端の中空に対応する開口部１１１５が形成されることができ、エアガイド１１８０の他端は、開口部１１１５の端に連結されることができる。
【００４０】
かかる構造により、ハウジング１１１０には、エアガイド１１８０を介して一面から他面まで貫通した貫通ホール１１８２が形成されることができる。
【００４１】
一方、エアガイド１１８０は、上述したように、他端から一端に向かうほど外径が大きくなる形状に限定されず、環状吐出流路１１４０が吐出端１１４２側に向かうほど断面積が狭くなるように形成するのであれば、どのような形状に構成されてもよい。
【００４２】
例えば、エアガイド１１８０は、両端の直径が同一の円筒状に構成され、ハウジング１１１０の内壁やフィルタ部材１１５０の形状は、エアガイド１１８０の一端に向かうほど狭くなるように形成されることもできる。またはエアガイド１１８０が、他端から一端に向かうほど外径が小さくなる形状に構成され、ハウジング１１１０の内壁やフィルタ部材１１５０の形状が、エアガイド１１８０の一端に向かうほどエアガイド１１８０の外径の変化量より大きい変化量で小さくなるように形成されることもできる。
【００４３】
上記フィルタ部材１１５０は、環状吐出流路１１４０に配置されて、環状吐出流路１１４０に流入したり、流動する空気を浄化させることができる。
【００４４】
かかるフィルタ部材１１５０は、通過する空気に含まれた大きな埃、微細な埃、ウイルス及び悪臭などを除去できる様々な機能性フィルタで構成されることができる。また、フィルタ部材１１５０は、一つの空気浄化機能を備える単一フィルタで構成されることもでき、上記様々な機能をそれぞれ備える複数のフィルタが重なっているフィルタ集合体で構成されることもできる。
【００４５】
一方、一実施例におけるフィルタ部材１１５０は、エアガイド１１８０の外周を囲むように円筒状に構成されることができる。
【００４６】
ここで、送風ファン１１３０から吐出された空気は、フィルタ部材１１５０を通過して、フィルタ部材１１５０の円周から環状吐出流路１１４０に流入する。
【００４７】
この時、フィルタ部材１１５０とエアガイド１１８０との間に十分な間隔が確保されない場合は、フィルタ抵抗が増加して、空気がフィルタ部材１１５０を円滑に通過できない。したがって、一実施例におけるフィルタ部材１１５０は、内側面がエアガイド１１８０の外側面から所定距離以上に離隔して構成されることが好ましい。ここで、フィルタ部材１１５０の内側面とエアガイド１１８０の外側面との間の離隔距離は、装置の設計仕様に応じて様々な値で設定されることができる。
【００４８】
また、フィルタ部材１１５０とエアガイド１１８０との間の間隔は、環状吐出流路１１４０を構成することができる。
【００４９】
一方、図示していないが、他の一実施例におけるフィルタ部材は、送風ファン１１３０の空気吸入側に配置されて、送風ファン１１３０に流入する空気を浄化させるように構成されることもできる。かかるフィルタ部材は、上述した環状吐出流路１１４０に円筒状に配置されず、ハウジング１１１０の内部において空気吸入部１１１７と送風ファン１１３０の空気吸入側との間に平らな板状に配置されることができる。
【００５０】
このような本発明の他の一実施例における環状吐出流路１１４０では、円筒状のフィルタ部材１１５０が排除されることができる。
【００５１】
上記グリル部材１１７０は、吐出端１１４２に備えられ、吐出端１１４２から吐出される空気をガイドすることができる。
【００５２】
一実施例におけるグリル部材１１７０は、環状の吐出端１１４２に一定の間隔で備えられ、吐出空気の吐出方向に沿って長く延長された複数のガイド翼１１７２を備えることができる。
【００５３】
かかるグリル部材１１７０は、複数のガイド翼１１７２の形状を通じて、吐出空気の気流に直進性を与えたり、吐出空気が旋回流となるようにすることで、吐出空気の直線到達距離を増大させることができる。
【００５４】
これとは異なり、グリル部材１１７０を設けずに、吐出端１１４２が単に環状に開口した形状である場合には、吐出端１１４２から吐出された空気が吐出端１１４２の半径方向に拡散するという欠点がある。
【００５５】
上述のような本発明の一実施例による空気清浄機１１００は、環状吐出流路１１４０に沿って流動する空気が吐出端１１４２に流動するほど流速が増加するため、流速が速い空気を吐出させることができる。ちなみに、空気が狭い断面積の流路を通過する際に流速が増加する理由は、ベルヌーイの定理により理解できる。
【００５６】
また、本発明の一実施例による空気清浄機１１００は、吐出端１１４２から速い流速で吐出される空気が貫通ホール１１８２の内部の空気と、吐出端１１４２の外郭の空気に流動を発生させることにより、高い風量性能を発揮することができる。
【００５７】
具体的に、吐出端１１４２から吐出される空気は、速い流速により、周辺の空気、つまり、貫通ホール１１８２の内部の空気及び吐出端１１４２の外郭の空気より圧力が相対的に低い。このため、貫通ホール１１８２の内部の空気及び吐出端１１４２の外郭の空気が相対的に圧力の低い吐出空気側に流動するようになる。
【００５８】
これにより、本発明の一実施例による空気清浄機１１００は、風量が多く、かつ流速の速い吐出空気を確保することができる。
【００５９】
＜実施例２＞
図９は本発明の実施例２による空気清浄機１１００の前面斜視図である。
【００６０】
図９を見ると、本発明の実施例２による空気清浄機１１００は、本発明の実施例１による空気清浄機１１００とは異なり、ハウジング１１１０が四角ボックス状に構成されることができる。
【００６１】
即ち、本発明の様々な実施例による空気清浄機１１００は、図１〜図８に示されたようにハウジング１１１０の外形が環状の吐出端１１４２に対応して丸みを帯びた形状に限定されず、図９に示されたように、吐出端１１４２を環状に維持するとともに、ハウジング１１１０の外形は様々な形状で構成されることができる。
【００６２】
また、装置の外観を簡潔に構成するために、空気吸入部１１１７がハウジング１１１０の前面から排除され、ハウジング１１１０の側面に形成されることもできる。
【００６３】
＜実施例３＞
図１０及び図１１を参照して、本発明の実施例３による空気清浄機１１００について説明する。
【００６４】
ここで、図１０は本発明の実施例３による空気清浄機１１００の内部構成を示した正断面図であり、図１１は駆動ユニット１１６０の斜視図である。
【００６５】
図１０及び図１１に示されたように、本発明の一実施例における上記フィルタ部材１１５０は、環状吐出流路１１４０を囲む形状に構成される。ここで、上記フィルタ部材１１５０の周方向の一部は、送風ファン１１３０の吐出側と環状吐出流路１１４０との間に配置されるとともに、環状吐出流路１１４０の周方向に回転可能に構成されることができる。
【００６６】
一実施例における送風ファン１１３０は、環状吐出流路１１４０の一側から空気を送風させるため、フィルタ部材１１５０には、送風ファン１１３０と環状吐出流路１１４０との間に形成される空気集中区間Ｓが発生し得る。
【００６７】
ここで、上記空気集中区間Ｓは、フィルタ部材１１５０の円周のうち、送風ファン１１３０に最も近接して配置される部分であり、送風ファン１１３０から吐出された空気がフィルタ部材１１５０をほぼ直線状に通過するため、最大量の空気が集中的に通過する部分である。
【００６８】
かかる構造において、送風ファン１１３０を長時間稼動すると、フィルタ部材１１５０の特定部分にのみ空気が集中し、特定部分埃の捕集量が他の部分に比べて多くなる。このため、フィルタ部材１１５０の寿命が部分的に不均一となり、空気処理性能が低下し得る。
【００６９】
これを解決するために、本発明の実施例３による空気清浄機１１００は、送風ファン１１３０の作動時にフィルタ部材１１５０が周期的に回転し、空気集中区間Ｓが周期的に変更されるように構成されることができる。
【００７０】
このため、一実施例におけるハウジング１１１０の内部には、フィルタ部材１１５０を周方向に回転させる駆動ユニット１１６０が備えられることができる。
【００７１】
一実施例における駆動ユニット１１６０は、図１１に示されたように、フィルタ部材１１５０の一端に締結され、ハウジング１１１０の内部において周方向に回転可能に設置された環状の被動フレーム１１６２と、被動フレーム１１６２を周方向に回転させるフィルタ駆動部材１１６５と、を含んで構成されることができる。
【００７２】
一例として、被動フレーム１１６２の端には、図１１に示されたように、従動ギア１１６３が備えられ、フィルタ駆動部材１１６５は、被動フレーム１１６２のギアに噛み合う動力伝達ギア１１６６と、上記動力伝達ギア１１６６を回転させるモータ部材１１６７と、を含むことができるが、これに限定されるものではない。
【００７３】
一方、本発明の実施例３による空気清浄機１１００は、フィルタ駆動部材１１６５を制御する制御部（図示せず）を備える。制御部は、送風ファン１１３０の作動時間、作動速度及び汚染度センサ１１２０の測定値に基づいてフィルタ部材１１５０を周期的に回転させて、空気集中区間Ｓが変更されるように動作することもできるが、これに限定されるものではない。
【００７４】
＜実施例４＞
図１２〜図１８を参照して、本発明の実施例４による空気清浄機１１００について説明する。
【００７５】
ここで、図１２は本発明の実施例４による空気清浄機１１００の吐出端１１４２が完全に開放された状態を示す図であり、図１３は吐出端１１４２の一部が閉鎖された状態を示し、図１４は調節部１１９０がハウジング１１１０の内周に設置された状態を示し、図１５は調節部１１９０の作動状態を示す図であり、図１６は調節部１１９０の分解斜視図であり、図１７及び図１８は調節部１１９０の遮蔽板１１９２の作動状態を示す図である。
【００７６】
図１２〜図１８に示されたように、本発明の実施例４による空気清浄機１１００は、吐出端１１４２の開口面積を調節するか、または吐出端１１４２を遮蔽する調節部１１９０をさらに含むことができる。
【００７７】
一実施例における調節部１１９０は、吐出端１１４２の外径（Ｏｕｔｓｉｄｅ  Ｄｉａｍｅｔｅｒ、外側の直径）を調節するように構成されることができる。つまり、調節部１１９０は、吐出端１１４２の外径を大きくするか、または小さくすることで、環状の吐出端１１４２の開口面積を調節するように構成されることができる。
【００７８】
かかる動作を実現するために、一実施例における調節部１１９０は、ケース１１９１、複数の遮蔽板１１９２、回転フレーム１１９３、固定フレーム１１９４及びフレーム駆動部材１１９５を含むことができる。
【００７９】
上記ケース１１９１は、複数の遮蔽板１１９２、回転フレーム１１９３、固定フレーム１１９４及びフレーム駆動部材１１９５を収納して、ハウジング１１１０の内側に支持させることができる。但し、かかるケース１１９１の形状及び構造は、特に限定されず、複数の遮蔽板１１９２、回転フレーム１１９３、固定フレーム１１９４及びフレーム駆動部材１１９５をハウジング１１１０の内側に支持させることができるのであれば、どのような形状及び構造からなってもよい。
【００８０】
一実施例におけるケース１１９１には、環状の吐出流路を前面カバー１１１２に形成された吐出開口１１１３に延長させるために、吐出端１１４２より大きい直径に開口したホール部１１９１ａを備えることができる。
【００８１】
また、一実施例におけるケース１１９１の内側には、後述する回転フレーム１１９３に備えられるリミット突起１１９３ｂの移動距離を制限するリミットガイド１１９１ｂが備えられることができる。
【００８２】
上記複数の遮蔽板１１９２は、ケース１１９１の内側に設置されて吐出端１１４２の外郭に備えられ、吐出端１１４２の半径方向に移動可能に構成されることができる。
【００８３】
かかる複数の遮蔽板１１９２は、吐出端１１４２の半径方向に移動しながら吐出端１１４２の一部分を覆うことにより、吐出端１１４２の外径を調節することができる。
【００８４】
一実施例における複数の遮蔽板１１９２は、吐出端１１４２の外郭に沿って等間隔に配置されて、全体的に環状を構成することができる。
【００８５】
このため、一実施例における遮蔽板１１９２は、平らで湾曲したバー状に構成されることができ、複数の遮蔽板１１９２は、図１６に示されたように、一部分が互いに重なるように配置されることができる。
【００８６】
また、遮蔽板１１９２は、一側端部に回転軸１１９２ａを備え、他側端部にガイド突起１１９２ｂを備えることができる。ここで、回転軸１１９２ａは、遮蔽板１１９２の一面から突出した突起状に構成されることができ、ガイド突起１１９２ｂは、遮蔽板１１９２の他面から突出した突起状に構成されることができる。
【００８７】
かかる構成において、遮蔽板１１９２の回転軸１１９２ａは、回転フレーム１１９３の軸ホール１１９３ａに回転可能に締結されることができ、遮蔽板１１９２のガイド突起１１９２ｂは、固定フレーム１１９４のガイド溝１１９４ａにガイド溝１１９４ａの長さ方向に沿ってスライド可能に締結されることができる。
【００８８】
上記回転フレーム１１９３は、環状に構成されることができ、ケース１１９１の内側に周方向に回転可能に備えられることができる。
【００８９】
かかる回転フレーム１１９３は、複数の遮蔽板１１９２の一面に配置され、複数の遮蔽板１１９２が吐出端１１４２の外郭に沿って等間隔に配置され、それぞれの遮蔽板１１９２を吐出端１１４２の半径方向に回転可能に支持することができる。
【００９０】
一実施例における回転フレーム１１９３は、複数の遮蔽板１１９２の回転軸１１９２ａが締結される軸ホール１１９３ａを備えることができる。
【００９１】
また、一実施例における回転フレーム１１９３の端には、フレーム駆動部材１１９５から伝達される回転力を受けるフレームギア１１９３ｃが備えられることができる。
【００９２】
また、一実施例における回転フレーム１１９３の端には、ケース１１９１のリミットガイド１１９１ｂにより回転フレーム１１９３の回転角度を制限するリミット突起１１９３ｂが備えられることができる。リミット突起１１９３ｂは、リミットガイド１１９１ｂの両端に引っかかって回転フレーム１１９３の回転角度を制限することにより、回転フレーム１１９３がリミットガイド１１９１ｂの範囲内でのみ回転するように、回転フレーム１１９３を調節することができる。
【００９３】
上記固定フレーム１１９４は、複数の遮蔽板１１９２の他面に配置され、回転フレーム１１９３の回転に伴って複数の遮蔽板１１９２をそれぞれの回転軸１１９２ａを基準に回転させることができる。
【００９４】
このため、固定フレーム１１９４には、遮蔽板１１９２のガイド突起１１９２ｂがスライド可能に挿入されるガイド溝１１９４ａが形成されることができる。ガイド溝１１９４ａは、固定フレーム１１９４の半径方向に長く延長された長溝状に形成されることができる。
【００９５】
かかる構成において、回転フレーム１１９３が回転すると、回転軸１１９２ａにより回転フレーム１１９３に締結された複数の遮蔽板１１９２は、回転フレーム１１９３の回転方向に沿って位置移動する。
【００９６】
この時、複数の遮蔽板１１９２のガイド突起１１９２ｂは、固定フレーム１１９４のガイド溝１１９４ａに締結された状態であるため、回転軸１１９２ａが締結された軸ホール１１９３ａとガイド突起１１９２ｂが締結されたガイド溝１１９４ａとの間に生じた回転フレーム１１９３の回転による距離変化を補償するために、複数の遮蔽板１１９２は、ガイド突起１１９２ｂがガイド溝１１９４ａに締結された状態を維持したまま、吐出端１１４２の半径方向に回転する。
【００９７】
ここで、複数の遮蔽板１１９２が吐出端１１４２の半径方向に回転すると、吐出端１１４２の外径は、複数の遮蔽板１１９２の内側角により形成される円形開口の直径に合わせて調節される。
【００９８】
例えば、回転フレーム１１９３が一方向に回転すると、複数の遮蔽板１１９２は、図１７に示されたように配置されるため、吐出端１１４２の外径が大きくなり、回転フレーム１１９３が他方向に回転すると、複数の遮蔽板１１９２は、図１８に示されたように配置されるため、吐出端１１４２の外径が小さくなる。
【００９９】
一実施例における複数の遮蔽板１１９２は、内側角により形成される円形開口の直径が吐出端１１４２の内径より小さいか、または同一の大きさまで調節できるように構成されるため、吐出端１１４２を気密に遮蔽することができる。
【０１００】
一方、上記フレーム駆動部材１１９５は、ケース１１９１の内側に備えられ、回転フレーム１１９３を回転させることにより、回転フレーム１１９３の回転角度を調節することができる。
【０１０１】
一例として、フレーム駆動部材１１９５は、回転フレーム１１９３のフレームギア１１９３ｃに噛み合う回転ギア１１９５ａと、上記回転ギア１１９５ａを回転させるステップモータ１１９５ｂと、を含んで構成されることができるが、これに限定されず、回転フレーム１１９３を回転させることができるものであれば、どのような機械的要素で構成されてもよい。
【０１０２】
一方、上述のような本発明の実施例４による空気清浄機１１００は、調節部１１９０を通じて吐出端１１４２の開口面積を調節することにより、吐出空気の流動特性を変化させることができる。
【０１０３】
具体的に、図１３に示すように、吐出端１１４２の一部が閉鎖された場合は、図１２に示された吐出端１１４２が完全に開放された場合より狭い流路を構成するため、吐出空気の流速が相対的に速くなり得る。
【０１０４】
また、図１３に示されたように、吐出端１１４２の一部が閉鎖された場合は、図１２に示された吐出端１１４２が完全に開放された場合より空気の吐出形態がより狭くなるため、空気を狭い範囲に遠く送風させる場合により効果的である。
【０１０５】
＜実施例５＞
最後に、図１９及び図２０を参照して、本発明の実施例５による空気清浄機１１００について説明する。図１９は本発明の実施例５による空気清浄機１１００の前面斜視図であり、図２０は本発明の実施例５による空気清浄機１１００に含まれるディスプレイ部１２００を示した側断面図である。
【０１０６】
図１９及び図２０に示されたように、本発明の実施例５による空気清浄機１１００は、エアガイド１１８０の中空を覆うように備えられ、空気清浄機１１００の運転状態を表示したり、制御ボタンを備えるディスプレイ部１２００をさらに含むことができる。
【０１０７】
即ち、本発明の実施例５による空気清浄機１１００は、図１〜図１８に示された本発明の実施例１〜４による空気清浄機１１００とは異なり、貫通ホール１１８２の代わりに、ハウジング１１１０に貫通ホール１１８２を覆う円形のディスプレイ部１２００を備えることもできる。
【０１０８】
かかる本発明の実施例５による空気清浄機１１００は、空き空間として形成される貫通ホール１１８２をディスプレイ及び制御パネルとして使用することにより、ハウジング１１１０に別途の表示部及び制御ボタンを備える必要がなく、製品の外観を簡潔に構成することができる。したがって、装置のデザイン面において外観に優れるという利点がある。
【０１０９】
一方、上記では、本発明の実施例１〜実施例５をそれぞれ異なる実施例に分けて説明したが、本発明の空気清浄機１１００は、上述した実施例１〜実施例５の少なくとも一つ以上が併合された形態で実現されることができる。
【０１１０】
＜実施例６＞
図２１〜図２７を参照して、本発明の実施例６について説明する。
【０１１１】
図２１〜図２７に示されたように、本発明の一実施例による空気調和装置２１００は、ハウジング２１１０、送風ファン２１３０、ガイドフレーム２１４０、空気処理部２１５０、第１空気吐出口２１６５、第２空気吐出口２１７５及び流路切替部２１８０を含むことができる。
【０１１２】
上記ハウジング２１１０は、本発明の一実施例による空気調和装置２１００の外観を構成し、送風ファン２１３０、ガイドフレーム２１４０、空気処理部２１５０及び流路切替部２１８０が設置される内部空間を構成することができる。
【０１１３】
一実施例におけるハウジング２１１０は、図２３に示されたように、前面カバー２１１２と、後面カバー２１１４と、を含んで構成されることができ、前面カバー２１１２と後面カバー２１１４が組み合わされることにより、送風ファン２１３０、ガイドフレーム２１４０、空気処理部２１５０及び流路切替部２１８０が設置される内部空間を構成することができる。
【０１１４】
また、ハウジング２１１０には、外部の空気がハウジング２１１０の内部に吸入される空気吸入部２１１７が備えられることができる。
【０１１５】
一実施例における空気吸入部２１１７は、ハウジング２１１０の後面に備えられることができるが、これに限定されるものではない。
【０１１６】
また、一実施例におけるハウジング２１１０の外面には、室内空気の汚染度を測定できる汚染度センサ２１２０がさらに備えられることもできる。
【０１１７】
上記送風ファン２１３０は、ハウジング２１１０の内部に備えられ、作動時に外部の空気がハウジング２１１０の内部に吸入された後、後述する空気処理部２１５０を通過して、第１空気吐出口２１６５及び第２空気吐出口２１７５を介して再び外部に吐出されるように、空気の流動を発生させることができる。
【０１１８】
一実施例における送風ファン２１３０は、環状吐出流路２１６０及び第２空気吐出口２１７５の下方に配置され、上方に空気を吐出させることができる。
【０１１９】
本発明の実施例６における送風ファン２１３０は、図２４に示されたように、後述する環状吐出流路２１６０の直下方に配置されることができ、この時、後述する空気処理部２１５０は、第２空気吐出口２１７５の直下方に配置されることができるが、これに限定されるものではない。
【０１２０】
一方、一実施例における送風ファン２１３０は、高い吸引静圧及び風量性能を発揮できる遠心ファンで構成されることもできる。
【０１２１】
この時、送風ファン２１３０は、空気を両方向から吸入可能な両吸込型で構成されることもでき、空気を片方向から吸入可能な片吸込型で構成されることもできる。
【０１２２】
上記ガイドフレーム２１４０は、ハウジング２１１０の内部に隔壁状に備えられ、送風ファン２１３０から吐出される空気を第１空気吐出口２１６５及び第２空気吐出口２１７５にガイドすることができる。
【０１２３】
一実施例におけるガイドフレーム２１４０は、送風ファン２１３０の外周を囲むスクロール部２１４１と、上記スクロール部２１４１の上端に備えられ、環状吐出流路２１６０と第２空気吐出口２１７５を区画する区画部２１４４と、を備えることができる。
【０１２４】
ここで、上記スクロール部２１４１は、送風ファン２１３０の外周を囲むように構成されて、送風ファン２１３０から周方向に吐出される空気をガイドすることができる。
【０１２５】
また、スクロール部２１４１の上端には、スクロール部２１４１によりガイドされた空気が区画部２１４４方向に送風される送風口２１４２が備えられることができる。
【０１２６】
また、スクロール部２１４１の一面には、送風ファン２１３０に空気が流入する空気流入口２１４３が備えられ、空気流入口２１４３の中央には、送風ファン２１３０を回転させるためのファンモータ２１３５が備えられることもできるが、これに限定されるものではない。
【０１２７】
また、上記区画部２１４４は、ハウジング２１１０の内部空間において後述する環状吐出流路２１６０を形成する空間を区画する隔壁フレーム２１４５を備えることができる。
【０１２８】
また、一実施例における隔壁フレーム２１４５には、後述するエアガイド２１６７が貫通して結合される貫通開口２１４６が形成されることができる。
【０１２９】
また、隔壁フレーム２１４５には、貫通開口２１４６の外周に形成され、隔壁フレーム２１４５の一面から突出して後述する環状吐出流路２１６０を形成するエンクロージャ２１４７が備えられることができる。
【０１３０】
上記エンクロージャ２１４７は、貫通開口２１４６の外周のうち、環状吐出流路２１６０の空気流入端２１６１を除外した残りの領域を囲む形状に形成され、その内側空間に環状吐出流路２１６０を形成することができる。
【０１３１】
上記空気処理部２１５０は、ハウジング２１１０の内部に備えられ、空気浄化、除湿及び加湿の少なくとも一つの機能を備えることができる。
【０１３２】
例えば、空気処理部２１５０は、空気浄化機能を備える場合、集塵、脱臭及びウイルス除去などの様々な機能を有する空気浄化フィルタを含むことができ、除湿機能を備える場合、除湿フィルタまたは熱交換器を含むことができ、加湿機能を備える場合、加湿フィルタ、超音波式加湿ユニットまたは加熱式加湿ユニットを含むことができる。
【０１３３】
また、空気処理部２１５０は、空気浄化フィルタと加湿フィルタ、または空気浄化フィルタと熱交換器を共に備えることで、空気浄化機能、除湿及び加湿機能のうち、複数の機能を備えることもできる。
【０１３４】
したがって、本発明の一実施例による空気処理装置は、採用される空気処理部２１５０に応じて、空気清浄機、除湿機、加湿器、除湿清浄機、加湿清浄機などの製品として実現されることができる。
【０１３５】
一実施例における空気処理部２１５０は、送風ファン２１３０の空気吸入側に配置されて、送風ファン２１３０に吸入される空気を処理することができる。
【０１３６】
一例として、空気処理部２１５０は、ガイドフレーム２１４０のスクロール部２１４１に形成された空気流入口２１４３とハウジング２１１０の空気吸入部２１１７との間に配置されることができるが、これに限定されるものではない。
【０１３７】
上記第１空気吐出口２１６５は、送風ファン２１３０によって流動するハウジング２１１０の内部の空気が外部に吐出される通路を構成することができる。かかる第１空気吐出口２１６５は、環状に形成されることができ、端部に空気が吐出される環状の吐出端が形成されることができる。
【０１３８】
一実施例における第１空気吐出口２１６５は、ハウジング２１１０の一面に形成されることができる。
【０１３９】
第１空気吐出口２１６５を形成するために、一実施例におけるハウジング２１１０の内部には、環状吐出流路２１６０が形成されることができる。
【０１４０】
上記環状吐出流路２１６０は、空気が吐出される吐出側端部が第１空気吐出口２１６５を構成し、第１空気吐出口２１６５がハウジング２１１０の一面に配置されるようにハウジング２１１０の内部に形成されることができる。
【０１４１】
一実施例における環状吐出流路２１６０は、第１空気吐出口２１６５がハウジング２１１０の前面カバー２１１２に配置されるように、ハウジング２１１０の内部に水平方向またはハウジング２１１０の前方に向かって上方または下方に傾斜するように形成されることができる。これにより、環状吐出流路２１６０は、ハウジング２１１０の内部に全体的に水平または斜めに横たわる円筒状に形成されることができる。
【０１４２】
ここで、第１空気吐出口２１６５は、環状吐出流路２１６０の端部形状に沿ってハウジング２１１０の前面カバー２１１２に環状に形成される。
【０１４３】
一方、かかる環状吐出流路２１６０は、図２４の断面図に示されたように、ハウジング２１１０の内部から第１空気吐出口２１６５に向かうほど断面積が狭くなる形状に形成されることができる。
【０１４４】
このため、一実施例におけるハウジング２１１０の内部には、エアガイド２１６７が備えられることができる。
【０１４５】
上記エアガイド２１６７は、ハウジング２１１０の内部に延長されて、環状吐出流路２１６０を形成することができる。
【０１４６】
具体的に、ハウジング２１１０の一面には、円形に開口した吐出開口２１１３が形成されることができ、エアガイド２１６７は、一端が吐出開口２１１３の中央に配置され、他端がハウジング２１１０の内部に延長されて、環状吐出流路２１６０の内径を形成することができる。
【０１４７】
この時、エアガイド２１６７の一端縁と上記吐出開口２１１３との間の間隔が環状吐出流路２１６０の第１空気吐出口２１６５を構成するようになる。
【０１４８】
また、エアガイド２１６７の外側面とガイドフレーム２１４０の区画部２１４４に備えられたエンクロージャ２１４７との間の空間が、環状吐出流路２１６０を構成するようになる。
【０１４９】
また、一実施例におけるエアガイド２１６７は、ガイドフレーム２１４０における区画部２１４４の隔壁フレーム２１４５に形成された貫通開口２１４６を貫通して設置されることができる。
【０１５０】
この時、環状吐出流路２１６０は、エアガイド２１６７、エンクロージャ２１４７及び隔壁フレーム２１４５により囲まれた空間として構成されることができる。
【０１５１】
また、一実施例における環状吐出流路２１６０の下端には、スクロール部２１４１の送風口２１４２に連通する空気流入端２１６１が備えられることができる。
【０１５２】
かかる構成において、スクロール部２１４１の送風口２１４２から吐出される空気は、空気流入端２１６１を介して環状吐出流路２１６０に流入した後、第１空気吐出口２１６５を介して外部に吐出されることができる。
【０１５３】
また、環状吐出流路２１６０の断面積が第１空気吐出口２１６５に向かうほど狭くなる形状を形成するために、一例として、エアガイド２１６７は、他端から一端に向かうほど外径が大きくなる形状に構成されることもできる。
【０１５４】
但し、これに限定されるものではなく、環状吐出流路２１６０を第１空気吐出口２１６５側に向かうほど断面積が狭くなるように形成するのであれば、エアガイド２１６７は、どのような形状で構成されてもよい。
【０１５５】
例えば、エアガイド２１６７は、両端の直径が同一の円筒状に構成され、エンクロージャ２１４７の形状は、第１空気吐出口２１６５側に向かうほど狭くなるように形成されることもできる。またはエアガイド２１６７が、第１空気吐出口２１６５側に向かうほど外径が狭くなる形状で構成され、エンクロージャ２１４７の形状が、第１空気吐出口２１６５側に向かうほどエアガイド２１６７の外径の変化量より大きい変化量で小さくなるように形成されることもできる。
【０１５６】
一方、一実施例におけるエアガイド２１６７は、ハウジング２１１０の一面から他面まで延長されることができ、中空のラッパ状に構成されることができる。
【０１５７】
この時、ハウジング２１１０の他面には、エアガイド２１６７の他端の中空に対応する開口部２１１５が形成されることができ、エアガイド２１６７の他端は、開口部２１１５の端に連結されることができる。
【０１５８】
このような構造により、ハウジング２１１０には、エアガイド２１６７を介して一面から他面まで貫通した貫通ホール２１６８が形成されることができる。
【０１５９】
このように、第１空気吐出口２１６５側に向かうほど断面積が狭くなる環状吐出流路２１６０の構造において、環状吐出流路２１６０に沿って流動する空気は、第１空気吐出口２１６５側に流動するほど流速が増加して、速い流速で第１空気吐出口２１６５から吐出される。ちなみに、空気が狭い断面積の流路を通過する際に流速が増加する理由は、ベルヌーイの定理により理解できる。
【０１６０】
また、第１空気吐出口２１６５から速い流速で吐出される空気が、貫通ホール２１６８の内部に存在する空気と、第１空気吐出口２１６５の外郭に存在する空気に流動を発生させることで、第１空気吐出口２１６５から吐出される空気の風量が増加するようになる。
【０１６１】
具体的に、第１空気吐出口２１６５から吐出される空気は、速い流速により、周辺の空気、つまり、貫通ホール２１６８の内部の空気及び第１空気吐出口２１６５の外郭の空気より圧力が相対的に低いため、貫通ホール２１６８の内部の空気及び第１空気吐出口２１６５の外郭の空気が相対的に圧力の低い吐出空気側に流動するようになる。
【０１６２】
上記第２空気吐出口２１７５は、送風ファン２１３０によって流動するハウジング２１１０の内部の空気が外部に吐出される通路を構成することができる。
【０１６３】
一実施例における第２空気吐出口２１７５は、ハウジング２１１０の上端に形成され、送風ファン２１３０から上方に吐出される空気がほぼ直線に流動してハウジング２１１０の上端に吐出される経路を構成することができる。
【０１６４】
上記流路切替部２１８０は、ハウジング２１１０の内部に備えられ、送風ファン２１３０が吐出する空気を第１空気吐出口２１６５及び第２空気吐出口２１７５の少なくとも一つに案内することができる。つまり、流路切替部２１８０は、ハウジング２１１０の内部で空気の流路を切り替えることにより、空気を第１空気吐出口２１６５または第２空気吐出口２１７５に吐出させることもでき、第１空気吐出口２１６５と第２空気吐出口２１７５に同時に吐出させることもできる。
【０１６５】
かかる流路切替部２１８０は、環状吐出流路２１６０の空気流入端２１６１及び第２空気吐出口２１７５を開閉するように構成されることができる。
【０１６６】
一実施例における流路切替部２１８０は、開閉扉２１８２及びモータ部材２１８６を含むことができる。
【０１６７】
ここで、上記開閉扉２１８２は、ハウジング２１１０の内部に回転可能に備えられ、回転することで、環状吐出流路２１６０の空気流入端２１６１と第２空気吐出口２１７５を選択的に開閉することができる。
【０１６８】
一実施例における開閉扉２１８２は、図２４〜図２７に示されたように、環状吐出流路２１６０の空気流入端２１６１と第２空気吐出口２１７５側の流路の分岐点に備えられ、湾曲した板状に構成されることができる。
【０１６９】
また、上記モータ部材２１８６は、開閉扉２１８２の回転軸２２２２に結合されて、開閉扉２１８２の回転角度を調節することができる。
【０１７０】
かかる構成において、開閉扉２１８２が図２５に示されたように環状吐出流路２１６０の空気流入端２１６１を遮蔽する場合、送風ファン２１３０から送風される空気は、第２空気吐出口２１７５にのみ吐出されることができる。
【０１７１】
また、図２６に示されたように、開閉扉２１８２が環状吐出流路２１６０の空気流入端２１６１を開放し、第２空気吐出口２１７５側の流路を遮蔽する場合、送風ファン２１３０から送風される空気は、環状吐出流路２１６０に流入して第１空気吐出口２１６５のみに吐出されることができる。
【０１７２】
そして、図２７に示されたように、開閉扉２１８２が環状吐出流路２１６０の空気流入端２１６１と第２空気吐出口２１７５側の流路をすべて開放する位置に回転した場合、送風ファン２１３０から送風される空気の一部は、第１空気吐出口２１６５に吐出され、残りの空気は、第２空気吐出口２１７５に吐出されることができる。
【０１７３】
上述のような本発明の実施例６による空気調和装置２１００は、流路の断面積が狭くなる環状の第１空気吐出口２１６５により、速い流速性能と多い風量性能を発揮できる吐出空気を確保することができるという利点がある。
【０１７４】
また、本発明の実施例６による空気調和装置２１００は、流路切替部２１８０により、第１空気吐出口２１６５と第２空気吐出口２１７５の少なくとも一つを選択的に開放できるように構成されるため、狭い範囲に送風を集中させようとする場合は、第１空気吐出口２１６５に空気を吐出させ、室内全体の空気を循環させようとする場合には、第２空気吐出口２１７５に空気を吐出させることができる。したがって、一つの送風ファン２１３０を使用しながらも、必要に応じて様々な形態の送風気流を発生させることができるという利点がある。
【０１７５】
＜実施例７＞
次に、図２８を参照して、本発明の実施例７による空気調和装置２１００について説明する。ここで、図２８には本発明の実施例７による空気調和装置２１００の正面図が示されている。
【０１７６】
図２８に示されたように、本発明の実施例７による空気調和装置２１００は、第１空気吐出口２１６５に吐出空気をガイドするグリル部材２１９０を備えることができる。
【０１７７】
一実施例におけるグリル部材２１９０は、環状の第１空気吐出口２１６５に一定の間隔で備えられ、吐出空気の吐出方向に沿って長く延長された複数のガイド翼２１８６を備えることができる。
【０１７８】
かかるグリル部材２１９０は、複数のガイド翼２１８６を通じて、吐出空気の気流に直進性を与えたり、吐出空気が旋回流となるようにすることで、吐出空気の直線到達距離を増大させることができる。
【０１７９】
これとは異なり、グリル部材２１９０を設けずに、第１空気吐出口２１６５が単に環状に開口した形状である場合には、第１空気吐出口２１６５から吐出された空気が第１空気吐出口２１６５の半径方向に拡散するため、吐出空気の直線到達距離が短いという欠点がある。
【０１８０】
一方、上記グリル部材２１９０は、ハウジング２１１０から分離して掃除が容易となるように、前面カバー２１１２に脱着可能に構成されることができる。
【０１８１】
かかるグリル部材２１９０は、エアガイド２１６７と一体に構成されることもでき、ハウジング２１１０においてエアガイド２１６７と独立的に分離可能となるように、エアガイド２１６７と分離された形態で構成することもできる。
【０１８２】
一方、グリル部材２１９０とエアガイド２１６７が一体に構成された場合、グリル部材２１９０とエアガイド２１６７とが組み立てられた組立体がハウジング２１１０から分離されると、第１空気吐出口２１６５と空気流入端２１６１を介して送風ファン２１３０が露出する。
【０１８３】
このように、送風ファン２１３０が露出する構造の場合、第１空気吐出口２１６５及び空気流入端２１６１を介して外部の異物が送風ファン２１３０に流入する可能性があり、ユーザの手が送風ファン２１３０に届くという安全事故の危険がある。
【０１８４】
したがって、一実施例における流路切替部２１８０は、グリル部材２１９０とエアガイド２１６７がハウジング２１１０から分離された場合に、第１空気吐出口２１６５を自動的に遮蔽するように動作することができる。
【０１８５】
即ち、流路切替部２１８０は、グリル部材２１９０とエアガイド２１６７がハウジング２１１０から分離されると、開閉扉２１８２が、空気流入端２１６１を閉鎖する位置に配置されるように動作することができる。
【０１８６】
このため、ハウジング２１１０には、グリル部材２１９０またはエアガイド２１６７の装着有無を感知する装着検出センサ（図示せず）が備えられることができ、流路切替部２１８０のモータ部材２１８６は、上記装着検出センサからの信号を受信して、グリル部材２１９０またはエアガイド２１６７がハウジング２１１０から分離された場合に、空気流入端２１６１を閉鎖するように開閉扉２１８２を回転させることができる。
【０１８７】
＜実施例８＞
次に、図２９及び図３０を参照して、本発明の実施例８による空気調和装置２１００について説明する。ここで、図２９及び図３０は本発明の実施例８による空気調和装置２１００の前面斜視図及び側断面図である。
【０１８８】
図２９及び図３０に示されたように、本発明の実施例８による空気調和装置２１００は、エアガイド２１６７の中空を覆うように備えられ、空気調和装置２１００の運転状態を表示したり、制御ボタンを備えるディスプレイ部２３００をさらに含むことができる。
【０１８９】
即ち、本発明の実施例８による空気調和装置２１００は、図２１〜図２７に示された本発明の実施例６による空気調和装置２１００とは異なり、貫通ホール２１６８の代わりに、ハウジング２１１０に貫通ホール２１６８を覆う円形のディスプレイ部２３００を備えることもできる。
【０１９０】
かかる本発明の実施例８による空気調和装置２１００は、空き空間として形成される貫通ホール２１６８をディスプレイ及び制御パネルとして使用することにより、ハウジング２１１０に別途の表示部と制御ボタンを備える必要がなく、製品の外観を簡潔に構成することができる。したがって、装置のデザイン面において外観に優れるという利点がある。
【０１９１】
一方、図２９及び図３０には、ディスプレイ部２３００が貫通ホール２１６８の全体を覆うように示されているが、これに限定されるものではなく、ディスプレイ部２３００は、外郭がエアガイド２１６７の内壁と離隔するように構成されて、ディスプレイ部２３００の外郭とエアガイド２１６７との間の内側面の間に空気が流動できる間隔が形成されるように構成されることもできる。
【０１９２】
＜実施例９＞
次に、図３１〜図３７を参照して、本発明の実施例９による空気調和装置２１００について説明する。
【０１９３】
ここで、図３１は本発明の実施例９による空気調和装置２１００の第１空気吐出口２１６５が完全に開放された状態を示した正面図及び側断面図であり、図３２は第１空気吐出口２１６５の一部が閉鎖された状態を示す正面図及び側面図である。そして、図３３は調節部２２００がハウジング２１１０の内部に設置された状態を示し、図３４は調節部２２００の作動状態を示す。また、図３５は調節部２２００の分解斜視図であり、図３６及び図３７は調節部２２００に備えられる遮蔽板２２２０の作動状態を示す図である。
【０１９４】
図３１〜図３７に示されたように、本発明の実施例９による空気調和装置２１００は、第１空気吐出口２１６５の開口面積を調節または遮蔽する調節部２２００をさらに含むことができる。
【０１９５】
一実施例における調節部２２００は、第１空気吐出口２１６５の外径を調節するように構成されることができる。つまり、調節部２２００は、第１空気吐出口２１６５の外径を大きくするか、または小さくすることで、環状の第１空気吐出口２１６５の開口面積を調節するように構成されることができる。
【０１９６】
かかる動作を実現するために、一実施例における調節部２２００は、ケース２２１０、複数の遮蔽板２２２０、回転フレーム２２３０、固定フレーム２２４０及びフレーム駆動部材２２５０を含むことができる。
【０１９７】
上記ケース２２１０は、複数の遮蔽板２２２０、回転フレーム２２３０、固定フレーム２２４０及びフレーム駆動部材２２５０を収納して、ハウジング２１１０の内側に支持させることができる。かかるケース２２１０の形状及び構造は、特に限定されず、複数の遮蔽板２２２０、回転フレーム２２３０、固定フレーム２２４０及びフレーム駆動部材２２５０をハウジング２１１０の内側に支持させることができるのであれば、どのような形状及び構造からなってもよい。
【０１９８】
一実施例におけるケース２２１０には、環状の吐出流路を前面カバー２１１２に形成された吐出開口２１１３に延長させるために、第１空気吐出口２１６５より大きい直径に開口したホール部２２１２を備えることができる。
【０１９９】
また、一実施例におけるケース２２１０の内側には、後述する回転フレーム２２３０に備えられるリミット突起２２３４の移動距離を制限するリミットガイド２２１４が備えられることができる。
【０２００】
上記複数の遮蔽板２２２０は、ケース２２１０の内側に設置されて第１空気吐出口２１６５の外郭に備えられ、第１空気吐出口２１６５の半径方向に移動可能に構成されることができる。
【０２０１】
かかる複数の遮蔽板２２２０は、第１空気吐出口２１６５の半径方向に移動しながら第１空気吐出口２１６５の一部分を遮蔽することにより、第１空気吐出口２１６５の外径を調節することができる。
【０２０２】
一実施例における複数の遮蔽板２２２０は、第１空気吐出口２１６５の外郭に沿って等間隔に配置されて、全体的に環状を構成することができる。
【０２０３】
このため、一実施例における遮蔽板２２２０は、平らで湾曲したバー状に構成されることができ、複数の遮蔽板２２２０は、図３５に示されたように、一部分が互いに重なるように配置されることができる。
【０２０４】
また、遮蔽板２２２０は、一側端部に回転軸２２２２を備え、他側端部にガイド突起２２２４を備えることができる。ここで、回転軸２２２２は、遮蔽板２２２０の一面から突出した突起状に構成されることができ、ガイド突起２２２４は、遮蔽板２２２０の他面から突出した突起状に構成されることができる。
【０２０５】
かかる構成における遮蔽板２２２０の回転軸２２２２は、回転フレーム２２３０の軸ホール２２３２に回転可能に締結されることができ、遮蔽板２２２０のガイド突起２２２４は、固定フレーム２２４０のガイド溝２２４２にガイド溝２２４２の長さ方向に沿ってスライド可能に締結されることができる。
【０２０６】
上記回転フレーム２２３０は、環状に構成されることができ、ケース２２１０の内側に周方向に回転可能に備えらることができる。
【０２０７】
かかる回転フレーム２２３０は、複数の遮蔽板２２２０の一面に配置され、複数の遮蔽板２２２０が第１空気吐出口２１６５の外郭に沿って等間隔に配置され、それぞれの遮蔽板２２２０を第１空気吐出口２１６５の半径方向に回転可能に支持することができる。
【０２０８】
一実施例における回転フレーム２２３０は、複数の遮蔽板２２２０の回転軸２２２２が締結される軸ホール２２３２を備えることができる。
【０２０９】
また、一実施例における回転フレーム２２３０の端には、フレーム駆動部材２２５０から回転力を受けるフレームギア２２３６が備えられることができる。
【０２１０】
また、一実施例における回転フレーム２２３０の端には、ケース２２１０のリミットガイド２２１４により回転フレーム２２３０の回転角度を制限するリミット突起２２３４が備えられることができる。リミット突起２２３４は、リミットガイド２２１４の両端に引っかかって回転フレーム２２３０の回転角度を制限することにより、回転フレーム２２３０がリミットガイド２２１４の範囲内でのみ回転することができる。
【０２１１】
上記固定フレーム２２４０は、複数の遮蔽板２２２０の他面に配置され、回転フレーム２２３０の回転に伴って複数の遮蔽板２２２０をそれぞれの回転軸２２２２を基準に回転させることができる。
【０２１２】
このため、固定フレーム２２４０には、遮蔽板２２２０のガイド突起２２２４がスライド可能に挿入されるガイド溝２２４２が形成されることができる。ガイド溝２２４２は、固定フレーム２２４０の半径方向に長く延長された長溝状に形成されることができる。
【０２１３】
かかる構成において、回転フレーム２２３０が回転すると、回転軸２２２２により回転フレーム２２３０に締結された複数の遮蔽板２２２０は、回転フレーム２２３０の回転方向に沿って位置移動する。
【０２１４】
この時、複数の遮蔽板２２２０のガイド突起２２２４は、固定フレーム２２４０のガイド溝２２４２に締結された状態であるため、回転軸２２２２が締結された軸ホール２２３２とガイド突起２２２４が締結されたガイド溝２２４２との間に生じた回転フレーム２２３０の回転による距離変化を補償するために、複数の遮蔽板２２２０は、ガイド突起２２２４がガイド溝２２４２に締結された状態を維持したまま、第１空気吐出口２１６５の半径方向に回転する。
【０２１５】
ここで、複数の遮蔽板２２２０が第１空気吐出口２１６５の半径方向に回転すると、第１空気吐出口２１６５の外径は、複数の遮蔽板２２２０の内側角により形成される円形開口の直径に合わせて調節される。
【０２１６】
例えば、回転フレーム２２３０が一方向に回転すると、複数の遮蔽板２２２０は、図３６に示すように配置されるため、第１空気吐出口２１６５の外径が大きくなり、回転フレーム２２３０が他方向に回転すると、複数の遮蔽板２２２０は、図３７に示されたように配置されるため、第１空気吐出口２１６５の外径が小さくなる。
【０２１７】
一実施例における複数の遮蔽板２２２０は、内側角により形成される円形開口の直径が第１空気吐出口２１６５の内径より小さいか、または同一の大きさまで調節できるように構成されるため、第１空気吐出口２１６５気密に遮蔽することができる。
【０２１８】
一方、上記フレーム駆動部材２２５０は、ケース２２１０の内側に備えられ、回転フレーム２２３０を回転させて回転フレーム２２３０の回転角度を調節することができる。
【０２１９】
一例として、フレーム駆動部材２２５０は、回転フレーム２２３０のフレームギア２２３６に噛み合う回転ギア２２５２と、上記回転ギア２２５２を回転させるステップモータ２２５４と、を含んで構成されることができるが、これに限定されず、回転フレーム２２３０を回転させることができるものであれば、どのような機械的要素で構成されてもよい。
【０２２０】
一方、上述のような本発明の実施例９による空気調和装置２１００は、調節部２２００を通じて第１空気吐出口２１６５の開口面積を調節することにより、吐出空気の流動特性を変化させることができる。
【０２２１】
具体的に、図３２に示されたように、第１空気吐出口２１６５の一部が閉鎖された場合は、図３１に示された第１空気吐出口２１６５が完全に開放された状態より狭い流路を構成するため、吐出空気の流速が相対的に速くなり得る。
【０２２２】
また、図３２に示されたように、第１空気吐出口２１６５の一部が閉鎖された場合は、図３１に示された第１空気吐出口２１６５が完全に開放された状態より空気の吐出形態がより狭くなるため、空気を狭い範囲に遠く送風させる場合に、より効果的である。
【０２２３】
＜実施例１０＞
最後に、図３８〜図４３を参照して、本発明の実施例１０による空気調和装置２１００について説明する。
【０２２４】
ここで、図３８は本発明の実施例１０による空気調和装置２１００の前面斜視図であり、図３９は空気調和装置２１００の後面斜視図、図４０は空気調和装置２１００の側面図であり、図４１及び図４２は流路切替部２１８０の作動状態を示す側断面図であり、図４３は流路切替部２１８０の斜視図である。
【０２２５】
まず、図３８〜図４２に示されたように、本発明の実施例１０による空気調和装置２１００は、送風ファン２１３０が第２空気吐出口２１７５の直下方に配置され、空気処理部２１５０が送風ファン２１３０の前方に配置されることができる。
【０２２６】
ここで、空気吸入部２１１７は、ハウジング２１１０の前面に備えられることができる。
【０２２７】
かかる構成において、送風ファン２１３０から第２空気吐出口２１７５に流動する空気の流路は、ほぼ直線状に形成されることができ、送風ファン２１３０から第１空気吐出口２１６５に流動する空気の流路は、傾斜した形状または折れ曲がった形状に形成されることができる。
【０２２８】
かかる本発明の実施例１０による空気調和装置２１００は、第２空気吐出口２１７５に吐出される空気の流路形状がほぼ直線状となるため、図２１〜図２７を参照して上述した本発明の実施例６による空気調和装置２１００に比べて、第２空気吐出口２１７５により高圧力の空気を吐出させることができるという利点がある。第２空気吐出口２１７５の吐出風圧が高いほど、室内の空気循環性能が向上する。
【０２２９】
また、本発明の実施例１０による空気調和装置２１００は、ハウジング２１１０に形成される貫通ホール２１６８の構造を維持しながら第２空気吐出口２１７５の高い風圧を確保するために、本発明の実施例６による空気調和装置２１００のハウジング２１１０とは異なり、第２空気吐出口２１７５が貫通ホール２１６８より下にハウジング２１１０が位置するように構成されることができる。
【０２３０】
即ち、２１１０の後面カバー２１１４は、図３８〜図４０に示されたように、上端の第２空気吐出口２１７５の前端上部に上方に延長されて、内部にエアガイド２１６７が収容され、環状吐出流路２１６０が形成される延長ケーシング部２１１８を備えることができる。
【０２３１】
ここで、延長ケーシング部２１１８は、ハウジング２１１０の後面の一部を構成することができ、前面カバー２１１２と後面カバー２１１４の延長ケーシング部２１１８には、エアガイド２１６７を介して貫通ホール２１６８が形成されることができる。
【０２３２】
また、かかる本発明の実施例１０による空気調和装置２１００におけるハウジング２１１０の構造は、本発明の実施例６による空気調和装置２１００のハウジング２１１０の構造に比べて、送風ファン２１３０の吐出側から第２空気吐出口２１７５に連結される空気の流路距離が短いため、第２空気吐出口２１７５から吐出される空気の圧力損失が少ないという利点がある。
【０２３３】
ちなみに、本発明の実施例６による空気調和装置２１００は、ハウジング２１１０の内部に形成される送風ファン２１３０の吐出側と第２空気吐出口２１７５との間の流路を流動する空気の流動距離が長いため、圧力損失が発生し得る。
【０２３４】
一方、本発明の実施例１０において、流路切替部２１８０の開閉扉２１８２は、図４１〜図４３に示されたように、一端に回転軸２２２２を備える平らな板状に構成されることができる。
【０２３５】
かかる開閉扉２１８２は、環状吐出流路２１６０の空気流入端２１６１と第２空気吐出口２１７５との間に回転軸２２２２を備えて、回転しながら環状吐出流路２１６０の空気流入端２１６１を遮蔽したり、第２空気吐出口２１７５を遮蔽することができる。
【０２３６】
一方、このような平らな板状の開閉扉２１８２は、環状吐出流路２１６０の空気流入端２１６１と第２空気吐出口２１７５を遮蔽するように配置された場合に、送風ファン２１３０から送風される空気の圧力により、揺動して騒音を発生させ得る。
【０２３７】
特に、本発明の実施例１０のように、送風ファン２１３０の直上方に第２空気吐出口２１７５が位置する構造において、第２空気吐出口２１７５を覆うように配置された開閉扉２１８２は、送風ファン２１３０から送風される空気に平面状に抵抗するため、空気の圧力を多く受けるようになる。
【０２３８】
したがって、開閉扉２１８２が空気流入端２１６１と第２空気吐出口２１７５を遮蔽するように配置された場合には、開閉扉２１８２が揺れないように固定する構造が必要である。
【０２３９】
このため、一実施例における開閉扉２１８２は、本体にマグネット２１８４を備えることができ、環状吐出流路２１６０の空気流入端２１６１及び第２空気吐出口２１７５には、磁性体２（例えば、鉄）が備えられて、開閉扉２１８２に備えられたマグネット２１８４の磁力による吸引力を受けることができる。
【０２４０】
かかる構成において、開閉扉２１８２が空気流入端２１６１と第２空気吐出口２１７５を覆うように配置された場合には、マグネット２１８４の磁力による吸引力により磁性体に吸着することで、空気の圧力を受けた場合でも揺れずに固定されることができる。
【０２４１】
一例として、環状吐出流路２１６０の空気流入端２１６１に備えられる磁性体は、空気流入端２１６１を形成するハウジング２１１０の内部のフレームに結合されることができ、第２空気吐出口２１７５に備えられる磁性体は、第２空気吐出口２１７５を覆うように装着される鉄製の複数のホールが形成された部材２１７７で構成されることができる。
【０２４２】
上記複数のホールが形成された部材２１７７は、第２空気吐出口２１７５を覆うように装着されて、空気は通過させるが、外部の異物が第２空気吐出口２１７５に流入することを防止することができる。
【０２４３】
なお、上記では、本発明の実施例６〜実施例１０をそれぞれ異なる実施例に分けて説明したが、本発明の空気調和装置２１００は、上述した実施例６〜実施例１０の少なくとも一つ以上が併合された形態で実現されることができる。
【０２４４】
以上、本発明の特定の実施例について図示及び説明したが、当業界における通常の知識を有する者であれば、以下の特許請求の範囲に記載された本発明の思想及び領域から外れない範囲内で多様な修正及び変形が可能であるということを明らかにしておく。
【図１】
2019501358.tif 000003
【図２】
2019501358.tif 000004
【図３】
2019501358.tif 000005
【図４】
2019501358.tif 000006
【図５】
2019501358.tif 000007
【図６】
2019501358.tif 000008
【図７】
2019501358.tif 000009
【図８】
2019501358.tif 000010
【図９】
2019501358.tif 000011
【図１０】
2019501358.tif 000012
【図１１】
2019501358.tif 000013
【図１２】
2019501358.tif 000014
【図１３】
2019501358.tif 000015
【図１４】
2019501358.tif 000016
【図１５】
2019501358.tif 000017
【図１６】
2019501358.tif 000018
【図１７】
2019501358.tif 000019
【図１８】
2019501358.tif 000020
【図１９】
2019501358.tif 000021
【図２０】
2019501358.tif 000022
【図２１】
2019501358.tif 000023
【図２２】
2019501358.tif 000024
【図２３】
2019501358.tif 000025
【図２４】
2019501358.tif 000026
【図２５】
2019501358.tif 000027
【図２６】
2019501358.tif 000028
【図２７】
2019501358.tif 000029
【図２８】
2019501358.tif 000030
【図２９】
2019501358.tif 000031
【図３０】
2019501358.tif 000032
【図３１】
2019501358.tif 000033
【図３２】
2019501358.tif 000034
【図３３】
2019501358.tif 000035
【図３４】
2019501358.tif 000036
【図３５】
2019501358.tif 000037
【図３６】
2019501358.tif 000038
【図３７】
2019501358.tif 000039
【図３８】
2019501358.tif 000040
【図３９】
2019501358.tif 000041
【図４０】
2019501358.tif 000042
【図４１】
2019501358.tif 000043
【図４２】
2019501358.tif 000044
【図４３】
2019501358.tif 000045
【国際調査報告】
2019501358.tif 000046
2019501358.tif 000047
2019501358.tif 000048
2019501358.tif 000049